(57)【要約】【課題】放射線像読取装置および放射線像変換パネルにおいて、取得される画像信号のＳ／Ｎを低下させることなく、輝尽発光光の利用効率を向上する。【解決手段】蓄積性蛍光体層１１から小さな射出角で射出された輝尽発光光を透過させ、かつ、蓄積性蛍光体層１１から大きな射出角で射出された輝尽発光光を反射する多層膜４１を積層したフィルム４０を、蓄積性蛍光体層１１の表面に光学コンタクトして作成された放射線像変換パネル１０を用意し、励起光Ｌｅの照射により蓄積性蛍光体層１１から発生した輝尽発光光を、フィルム４０を間に挟んで蓄積性蛍光体層１１の表面に開口を向けた結像光学系３１を通して検出する。【選択図】　　　　　図２
2004109467.tif 000002
【特許請求の範囲】
【請求項１】
線状の励起光の照射を受けて放射線像変換パネルの蓄積性蛍光体層から発生した輝尽発光光を、該蓄積性蛍光体層の前記輝尽発光光が射出される表面に対して開口を向けた結像光学系を通して検出する放射線像読取装置であって、
前記蓄積性蛍光体層と前記結像光学系との間に、前記蓄積性蛍光体層の表面から小さな射出角で射出された輝尽発光光を透過させ、かつ、大きな射出角で射出された輝尽発光光を反射する多層膜を積層したフィルムを備えたことを特徴とする放射線像読取装置。
【請求項２】
前記小さな射出角が３０°以下であり、前記大きな射出角が４５°以上であることを特徴とする請求項１記載の放射線像読取装置。
【請求項３】
前記フィルムの厚さが１００μｍ以下であることを特徴とする請求項１または２記載の放射線像読取装置。
【請求項４】
支持体と、該支持体上に形成された、励起光の照射を受けて輝尽発光光を発生する蓄積性蛍光体層と、前記蓄積性蛍光体層上の前記支持体側とは反対側に配置された、前記蓄積性蛍光体層から小さな射出角で射出された輝尽発光光を透過させ、かつ、前記蓄積性蛍光体層から大きな射出角で射出された輝尽発光光を反射する多層膜を積層したフィルムとを備え、前記輝尽発光光が、前記蓄積性蛍光体層の表面に前記フィルムを間に挟んで開口を向けた結像光学系を通して検出されることを特徴とする放射線像変換パネル。
【請求項５】
前記小さな射出角が３０°以下であり、前記大きな射出角が４５°以上であることを特徴とする請求項４記載の放射線像変換パネル。
【請求項６】
前記フィルムが、前記蓄積性蛍光体層上に光学コンタクトしているものであることを特徴とする請求項４または５記載の放射線像変換パネル。
【請求項７】
前記フィルムの厚さが１００μｍ以下であることを特徴とする請求項４から６のいずれか１項記載の放射線像変換パネル。
【発明の詳細な説明】
【０００１】
【発明の属する技術分野】
本発明は、放射線像読取装置に関し、詳しくは、線状の励起光の照射を受けて放射線像変換パネルから発生した輝尽発光光を結像光学系を通して検出する放射線像読取装置に関するものである。
【０００２】
【従来の技術】
従来より、Ｘ線等の放射線を爆射するとこの放射線エネルギの一部を蓄積し、その後、可視光等の励起光を照射すると蓄積された放射線エネルギに応じて輝尽発光を示す蓄積性蛍光体（輝尽性蛍光体）を利用して、人体等の被写体の放射線像を蓄積性蛍光体層に一旦潜像として記録し、この蓄積性蛍光体層にレーザ光等の励起光を照射して輝尽発光光を生じせしめ、この輝尽発光光を光電的に検出して被写体の放射線像を表す画像信号を取得する放射線像記録装置および放射線像読取装置等からなる放射線像記録再生システムがＣＲ（Ｃｏｍｐｕｔｅｄ　Ｒａｄｉｏｇｒａｐｈｙ）としてが知られている。この放射線像記録再生システムに使用される記録媒体としては、基板上に蓄積性蛍光体層を積層して作成した放射線像変換パネルが知られている。
【０００３】
また、上記放射線像読取装置としては、線状の励起光の照射を受けて放射線像変換パネルから発生した輝尽発光光を結像レンズを通してラインセンサで検出する装置が知られている。
【０００４】
蓄積性蛍光体層から発生する輝尽発光光の光強度の分布は概略ＣＯＳθ分布を示し、これに対して結像レンズの開口あるいは開口角の大きさには制限があるので、蓄積性蛍光体層から大きな射出角で射出される輝尽発光光の検出が困難となる。そのため、蓄積性蛍光体層から小さな射出角で射出された輝尽発光光を透過させ、大きな射出角で射出された輝尽発光光を反射させる多層膜が積層されたフィルタを蓄積性蛍光体層と結像レンズとの間に設けて、この多層膜で反射された輝尽発光光の一部を再び結像レンズの開口に向けて伝播させるようにし、輝尽発光光の集光効率を高める検討が行なわれている（例えば、特許文献１参照）。
【０００５】
【特許文献１】
特開２００２−９０９２２号公報
【０００６】
【発明が解決しようとする課題】
ところで、上記のように多層膜を利用して輝尽発光光の集光効率を高めるために、高い平面性が得られ物理特性も安定しているガラス板上に多層膜を積層して多層膜フィルタを作成し、この多層膜フィルタを蓄積性蛍光体層と結像レンズとの間に配置することが考えられる。
【０００７】
しかしながら、ガラス板はある程度の板厚を持つため、蓄積性蛍光体層から発生しこのガラス板の両側の表面間で反射された輝尽発光光の一部が所定の光路から外れて結像レンズで検出できなくなったり、また、蓄積性蛍光体層に向けて照射された励起光がガラス板の両側の表面間で反射され、その一部が所定の光路から外れて蓄積性蛍光体層上に入射され、この所定の光路から外れた励起光の入射によって読取り前の蓄積性蛍光体層に蓄積されている放射線情報の一部が消去される等のことにより、取得された画像信号のＳ／Ｎが低下するという問題がある。
【０００８】
また、蓄積性蛍光体層に対する放射線の爆射側と輝尽発光光の検出側とを同じ側にした場合には、ガラス板が放射線を吸収してこの放射線の利用効率が低下してしまう、これに対して、蓄積性蛍光体層に対する放射線の爆射側と輝尽発光光の検出側とを異なる側にした場合には、蓄積性蛍光体層内に蓄積された放射線像を表す放射線エネルギが検出側に十分に放出されないため、輝尽発光光の検出側への発生光量が減少してしまい、上記と同様に取得される画像信号のＳ／Ｎが低下するという問題がある。
【０００９】
本発明は上記事情に鑑みて、取得される画像信号のＳ／Ｎを低下させることなく、輝尽発光光の利用効率を向上することができる放射線像読取装置および放射線像変換パネルを提供することを目的とするものである。
【００１０】
【課題を解決するための手段】
本発明の放射線像読取装置は、線状の励起光の照射を受けて放射線像変換パネルの蓄積性蛍光体層から発生した輝尽発光光を、蓄積性蛍光体層の輝尽発光光が射出される表面に対して開口を向けた結像光学系を通して検出する放射線像読取装置であって、蓄積性蛍光体層と結像光学系との間に、蓄積性蛍光体層の表面から小さな射出角で射出された輝尽発光光を透過させ、かつ、大きな射出角で射出された輝尽発光光を反射する多層膜を積層したフィルムを備えたことを特徴とするものである。
【００１１】
ここで、「小さな射出角」、「大きな射出角」というのは、比較的小さな射出角、比較的大きな射出角の意味である。
【００１２】
本発明の放射線像変換パネルは、支持体と、この支持体上に形成された、励起光の照射を受けて輝尽発光光を発生する蓄積性蛍光体層と、蓄積性蛍光体層上の支持体側とは反対側に配置された蓄積性蛍光体層から小さな射出角で射出された輝尽発光光を透過させ、かつ、蓄積性蛍光体層から大きな射出角で射出された輝尽発光光を反射する多層膜を積層したフィルムとを備え、輝尽発光光が、蓄積性蛍光体層の表面に上記フィルムを間に挟んで開口を向けた結像光学系を通して検出されることを特徴とするものである。
【００１３】
前記フィルムは、このフィルムの蓄積性蛍光体層の側に多層膜が積層されているものであることが好ましい。
【００１４】
前記小さな射出角は３０°以下に、大きな射出角は４５°以上にすることができる。
【００１５】
前記フィルムの厚さは１００μｍ以下とすることが好ましく、１０μｍ以下とすることがより好ましい。
【００１６】
前記フィルムは、このフィルムが放射線像変換パネルに備えられている場合に、蓄積性蛍光体層上に光学コンタクトしているものとすることができる。
【００１７】
また、上記射出角とは、蓄積性蛍光体層から射出される輝尽発光光のこの蓄積性蛍光体層の表面の法線に対する角度を意味するものである。
【００１８】
【発明の効果】
本発明の放射線像読取装置によれば、蓄積性蛍光体層と結像光学系との間に、蓄積性蛍光体層の表面から小さな射出角で射出された輝尽発光光を透過させ、かつ、大きな射出角で射出された輝尽発光光を反射する多層膜を積層したフィルムを備えているので、蓄積性蛍光体層から小さな射出角で射出された輝尽発光光を多層膜を透過させて結像光学系の開口に入射させるとともに、蓄積性蛍光体層から大きな射出角で射出され結像光学系の開口から外れた方向に向かう輝尽発光光をこの多層膜で反射させることができ、多層膜で反射された後、蓄積性蛍光体層で反射されて再び様々な角度で多層膜に向けて伝播される輝尽発光光のうちの小さな反射角で反射された成分を結像光学系の開口に入射させて検出することができるので、輝尽発光光の利用効率を向上することができる。
【００１９】
ここで、多層膜を積層したフィルムは非常に薄くすることができ、これにより、このフィルムの両側の表面間で励起光や輝尽発光光が反射しても所定の光路から外れることがないので、放射線を吸収してこの放射線の利用効率を低下させたり、あるいは、フィルムの両側の表面間で反射された輝尽発光光や励起光を所定の光路から大きく外したりすることがなく、取得される画像信号のＳ／Ｎの低下を抑制することができる。例えば、フィルムの厚さを１００μｍ以下とすれば、上記放射線の利用効率を低下させたり、輝尽発光光が所定の光路から大きく外れたりすることをより確実に防止することができ、取得される画像信号のＳ／Ｎの低下をより抑制することができる。さらに、フィルムの厚さを１０μｍ以下とすれば、上記画像信号のＳ／Ｎの低下をさらに抑制することができる。
【００２０】
本発明の放射線像変換パネルによれば、蓄積性蛍光体層から小さな射出角で射出された輝尽発光光を透過させ、かつ、この蓄積性蛍光体層から大きな射出角で射出された輝尽発光光を反射する多層膜を積層したフィルムとを備え、輝尽発光光が、蓄積性蛍光体層の表面にフィルムを間に挟んで開口を向けた結像光学系を通して検出されるので、上記と同様の理由により、取得される画像信号のＳ／Ｎを低下させることなく、輝尽発光光の利用効率を向上することができる。
【００２１】
また、多層膜を積層したフィルムは安価に製作することができるので、放射線像読取装置および放射線像変換パネルの装置コストの上昇を抑えることができる。
【００２２】
ここで、フィルムが放射線像変換パネルに備えられている場合に、このフィルムを蓄積性蛍光体層上に光学コンタクトしているものとすれば、多層膜を通って輝尽発光光が射出される際に、蓄積性蛍光体層の表面と多層膜との間隔の変化によって生じる光強度分布のムラを低減することができ、取得される画像信号のＳ／Ｎの低下をより抑制することができる。
【００２３】
【発明の実施の形態】
以下、本発明の第１の実施の形態について、図面を用いて説明する。図１は本発明の第１の実施の形態による放射線像読取装置の概略構成を示す斜視図、図２は励起光照射部および検出部を拡大した概略構成を示す側面図、図３は輝尽発光光に対する多層膜の透過特性および反射特性を示す図である。
【００２４】
図１および図２に示すように、本発明の第１の実施の形態による放射線像変換パネル１０は、支持体１２、支持体１２上に形成された、励起光の照射を受けて輝尽発光光を発生する蓄積性蛍光体層１１、および蓄積性蛍光体層１１上の支持体１２側とは反対側に配置された、蓄積性蛍光体層１１から小さな射出角で射出された輝尽発光光を透過させ、かつ、蓄積性蛍光体層１１から大きな射出角で射出された輝尽発光光を反射する多層膜４１を積層したフィルム４０を備えている。
【００２５】
フィルム４０は、１００μｍ以下の厚さであることが好ましく、１０μｍ以下の厚さであることがより好ましい。また、フィルム４０の支持体にはＰＥＴ樹脂やポリカーボネイト樹脂製等のフィルムを採用することができる。多層膜４１はフィルム４０の蓄積性蛍光体層１１側の表面に蒸着によって積層されており、蓄積性蛍光体層１１とこのフィルム４０とは光学コンタクトしている。この多層膜４１は、図３に示すように、蓄積性蛍光体層１１の表面から３０°以下の小さな射出角で射出される輝尽発光光を透過させ、かつ、４５°以上の大きな射出角で射出された輝尽発光光を反射する特性を有している。
【００２６】
また、第１の実施の形態による放射線像読取装置１００は、図１および図２に示すように、放射線像変換パネル１０に対して主走査Ｘ方向（図中矢印Ｘ方向）に延びる線状の励起光Ｌｅを照射する励起光照射部２０、この線状の励起光Ｌｅの照射を受けて蓄積性蛍光体層１１の表面から発生した輝尽発光光を、この表面に対して開口を向けた結像光学系である結像レンズ３１を通して検出する検出部３０、および検出部３０を放射線像変換パネル１０に対して主走査Ｘ方向と交わる副走査Ｙ方向（図中矢印Ｙ方向）に相対的に移動させる搬送手段（図示は省略）を備えている。
【００２７】
励起光照射部２０は、励起光を射出するブロードエリアレーザ２１、ブロードエリアレーザ２１から射出された線状の励起光を後述する反射ミラー２３を介して放射線像変換パネル１０上の主走査Ｘ方向に線状に集光させるトーリックレンズ等からなる集光光学系２２、および上記励起光を光路の途中で反射して光路を放射線像変換パネル１０に向かう方向に変更させる反射ミラー２３等によって構成されており、線状の励起光を放射線像変換パネル１０上に照射する。
【００２８】
検出部３０は、主走査Ｘ方向に並べられた多数のレンズ、例えば屈折率分布型レンズ等からなる結像レンズ３１、輝尽発光光を透過させ励起光を遮断する励起光カットフィルタ３３、および主走査Ｘ方向に並べられた多数の受光素子（例えばＣＣＤ素子）からなるラインセンサ３２を備え、上記各要素が、蓄積性蛍光体層１１に向けてこの順に並べられている。
【００２９】
結像レンズ３１は、蓄積性蛍光体層１１の表面に対して概略垂直な光学軸を有し、励起光Ｌｅが照射された放射線像変換パネル１０上の線状の領域Ｆの正立等倍像をラインセンサ３２上に結像させる。
【００３０】
また、励起光照射部２０と検出部３０とは一体化されており上記搬送手段によって副走査方向に同時に搬送される。
【００３１】
次に、上記実施の形態における作用について説明する。
【００３２】
励起光照射部２０から射出された励起光Ｌｅは蓄積性蛍光体層１１上の主走査方向に延びる線状の領域Ｆに集光される。この線状の励起光Ｌｅの照射によって領域Ｆから発生した輝尽発光光は、蓄積性蛍光体層１１上のフィルム４０、結像レンズ３１および励起光カットフィルタ３３を通ってラインセンサ３２上に結像され光電変換された後、電気的な画像信号として出力される。上記励起光Ｌｅの照射と輝尽発光光の検出を実行しながら、一体化された励起光照射部２０と検出部３０とが搬送手段によって副走査Ｙ方向へ搬送され、蓄積性蛍光体層１１に記録された放射線像を表す画像信号が読み取られる。なお、放射線像変換パネル１０には、この放射線像変換パネル１０の検出部３０側からの放射線の爆射によって放射線像が記録されている。
【００３３】
ここで、蓄積性蛍光体層から発生し結像レンズに向かう輝尽発光光の光強度の分布を示す図４（ａ）から図４（ｃ）、および輝尽発光光が多層膜を透過したり多層膜で反射されたりする様子を示す図５を参照し、蓄積性蛍光体層の表面から小さな射出角で射出された輝尽発光光を透過させ、かつ、大きな射出角で射出された輝尽発光光を反射する多層膜を積層したフィルムの作用について説明する。なお、蓄積性蛍光体層１１とフィルム４０とは光学コンタクトしているが、図５においては、説明の都合上蓄積性蛍光体層１１とフィルム４０との間隔を広く示している。
【００３４】
励起光の照射により蓄積性蛍光体層１１の表面から発生した輝尽発光光の光強度の分布は概略ＣＯＳθ分布Ｐ０（図４（ａ）参照）を示し、このうちの射出角が３０°以下の分布Ｐ１で示される輝尽発光光、および射出角が３０°を越え４５°未満の分布Ｐ２で示される輝尽発光光の一部分（図４（ｂ）参照）は多層膜４１を透過する。すなわち、図５に示すように、例えば、励起光Ｌｅの照射により蓄積性蛍光体層１１の表面の領域Ｆ１から小さな射出角α１で射出された輝尽発光光Ｋ１はフィルム４０を透過した後、結像レンズ３１の開口に入射してラインセンサ３２で検出される。
【００３５】
一方、上記ＣＯＳθ分布を示す輝尽発光光のうちの射出角が３０°を越え４５°未満の分布Ｐ３で示される輝尽発光光の一部分、および射出角が４５°以上の分布Ｐ４で示される輝尽発光光（図４（ｃ）参照）は多層膜４１で反射される。すなわち、図５に示すように、例えば、励起光Ｌｅの照射により蓄積性蛍光体層１１の表面の領域Ｆ１から大きな射出角α２で射出された輝尽発光光Ｋ２は多層膜４１で反射され蓄積性蛍光体層１１に入射する。
【００３６】
蓄積性蛍光体層１１に入射した輝尽発光光は、特定の光強度分布（例えばＣＯＳθ分布）を持って蓄積性蛍光体層１１の表面の領域Ｆ２で反射され、フィルム４０の方向に向けて伝播される。ここで、フィルム４０の方向に伝播される輝尽発光光のうちの蓄積性蛍光体層１１の表面からの射出角が３０°以下の輝尽発光光、および射出角が３０°を越え４５°未満の輝尽発光光の一部分が再びフィルム４０を透過する。例えば、領域Ｆ２から小さな射出角α３で射出された輝尽発光光Ｋ２はフィルム４０を透過し、結像レンズ３１の開口に入射してラインセンサ３２で検出される。
【００３７】
したがって、多層膜４１が無ければ結像レンズ３１の開口に入射されなかった輝尽発光光Ｋ２′を検出することができ、輝尽発光光の利用効率を向上することができる。
【００３８】
なお、上記多層膜４１と蓄積性蛍光体層１１との間において輝尽発光光の反射が複数回繰り返される場合には、多層膜４１に入射する度に上記と同様の作用が働き、輝尽発光光の利用効率をさらに向上させることができる。
【００３９】
また、蓄積性蛍光体層１１と多層膜４１との間隔は狭く設定されている（ここでは光学コンタクトしている）ので、蓄積性蛍光体層１１の表面の領域Ｆ１と領域Ｆ２とは近接している。そのため、ラインセンサ３２中の異なる画素を示すように配置された受光素子に、それぞれの領域から発生あるいは反射した輝尽発光光が入射することはなく、画像信号のＳ／Ｎを低下させることはない。
【００４０】
ここで、多層膜４１を積層したフィルム４０は非常に薄いので、蓄積性蛍光体層に放射線を爆射する際に放射線を吸収してこの放射線の利用効率を低下させたり、あるいは、フィルムの両側の表面間で反射された輝尽発光光や励起光を所定の光路から大きは外したりすることはない。
【００４１】
なお、蓄積性蛍光体層とフィルムとは、光学コンタクトさせてもよいし、単に密着された状態としてもよい。また、蓄積性蛍光体層とフィルムとの間に空気層や接着層等を介して近接させて配置してもよい。さらに、蓄積性蛍光体層とフィルムとの間隔を一定にするために、真空吸着によって両者を密着させたり、厚みの管理された接着層を介して両者を接着して上記間隔を一定にするようにしてもよい。
【００４２】
ここで、フィルムの厚さと検出された輝尽発光光のボケ量との関係を図６に示す。この図は、多層膜が積層されたＰＥＴ樹脂製のフィルムを蓄積性蛍光体層上に光学コンタクトさせた場合におけるフィルムの厚さと、検出された輝尽発光光のボケ量（輝尽発光光の空間的な広がりの半値幅）との関係を示すものである。図から解るようにフィルムが薄くなるにしたがって、ボケ量が小さくなることがわかる。
【００４３】
なお、フィルムに積層される多層膜は、蓄積性蛍光体層側に積層される場合に制限されるものではない。
【００４４】
また、蓄積性蛍光体層への放射線の爆射は輝尽発光光の検出側と同じ側であっても反対側であってもよい。ただし、フィルムによる放射線の吸収が少ないので、放射線の爆射と輝尽発光光の検出とを同じ側で行なった方が、取得される画像信号のＳ／Ｎを高くすることができる。また、励起光の照射と輝尽発光光の検出とは必ずしも蓄積性蛍光体層の同じ側から行なう場合に限らない。
【００４５】
ここで、放射線の爆射、励起光の照射、および輝尽発光光の検出を放射線像変換パネルの表側あるいは裏側から行なう様々な組合せのうちの実用可能な組合せを示すとともに、それぞれの組み合わせにおいて検出された画像信号が示す放射線画像の画質の評価結果を表１に示す。なお、蓄積性蛍光体層上に多層膜が積層されたフィルムを配置した放射線像変換パネルと、比較用の蓄積性蛍光体層上に多層膜が積層されたガラス板を配置した放射線像変換パネルとをサンプルとして使用し、放射線像変換パネルの多層膜が積層されている側を表側としその反対側を裏側とした。
【００４６】
【表１】
2004109467.tif 000003
表から読み取れるように、いずれの動作も表側から行なう場合において、取得される放射線画像の画質が最良となり、この組合せは支持体としてフィルムを用いた場合にのみ実現可能なことがわかる。すなわち、フィルムに比して厚さが大きいガラス板を用いると、放射線を吸収したり、励起光や輝尽発光光が所定の光路を外れて検出されたりするので、放射線の爆射、励起光の照射、および輝尽発光光の検出を行なう配置が制限され、実用可能な配置であってもフィルムを用いた場合に比して取得された放射線画像の画質が劣る。
【００４７】
以下、本発明の第２の実施の形態について図７および図８を参照して説明する。図７は本発明の第２の実施の形態による放射線像読取装置の概略構成を示す斜視図、図８は励起光照射部および検出部を拡大した概略構成を示す側面図である。
【００４８】
第２の実施の形態においては、多層膜が積層されたフィルムを、放射線像読取装置が備えるように構成したものであり、その他は第１の実施の形態と同様の構成からなる。以下、第１の実施の形態と同様の構成については同じ符号を使用する。
【００４９】
本発明の第２の実施の形態による放射線像読取装置２００は、放射線像変換パネル１０Ａを構成する蓄積性蛍光体層１１に対して主走査Ｘ方向（図中矢印Ｘ方向）に延びる線状の励起光Ｌｅを照射する励起光照射部２０、この線状の励起光Ｌｅの照射を受けた蓄積性蛍光体層１１の表面から発生した輝尽発光光をこの表面に対して開口を向けた結像光学系である後述する結像レンズ３１を通して検出する検出部３０Ａ、および検出部３０Ａを放射線像変換パネル１０Ａに対して主走査Ｘ方向と交わる副走査Ｙ方向（図中矢印Ｙ方向）に相対的に移動させる搬送手段（図示は省略）とを備えている。
【００５０】
励起光照射部２０は、励起光を射出するブロードエリアレーザ２１、ブロードエリアレーザ２１から射出された線状の励起光を後述する反射ミラー２３を介して放射線像変換パネル１０Ａ上の主走査Ｘ方向に線状に集光させるトーリックレンズ等からなる集光光学系２２、および上記励起光を光路の途中で反射して光路を放射線像変換パネル１０Ａに向かう方向に変更させる反射ミラー２３等によって構成されており、線状の励起光を放射線像変換パネル１０Ａ上に照射する。
【００５１】
検出部３０Ａには、後述する多層膜が積層された厚さ１００μｍ以下のフィルム４０、主走査Ｘ方向に並べられた多数のレンズ、例えば屈折率分布型レンズ等からなる結像レンズ３１、輝尽発光光を透過させ励起光を遮断する励起光カットフィルタ３３、および主走査Ｘ方向に並べられた多数の受光素子（例えばＣＣＤ素子）からなるラインセンサ３２を備え、上記各要素が、蓄積性蛍光体層１１に向けてこの順に並べられている。
【００５２】
結像レンズ３１は、蓄積性蛍光体層１１の表面に対して概略垂直な光学軸を有し、励起光Ｌｅが照射された放射線像変換パネル１０Ａ上の線状の領域Ｆａの正立等倍像をラインセンサ３２上に結像させる。
【００５３】
フィルム４０は、その表面が蓄積性蛍光体層１１の表面と概略平行になるように配置され、また、蓄積性蛍光体層１１側の表面にはこの蓄積性蛍光体層１１の表面から小さな射出角で射出された輝尽発光光を透過させ、かつ、大きな射出角で射出された輝尽発光光を反射する多層膜４１が蒸着により積層されている。なお、フィルム４０の支持体にはＰＥＴ樹脂やポリカーボネイト樹脂製等のフィルムを採用することができる。
【００５４】
この多層膜４１は、蓄積性蛍光体層の表面から３０°以下の射出角で射出される輝尽発光光を透過させ、かつ、４５°以上の射出角で射出された輝尽発光光を反射する特性を有している。
【００５５】
また、励起光照射部２０と検出部３０Ａとは一体化されており上記搬送手段によって副走査方向に同時に搬送される。
【００５６】
次に、上記実施の形態における作用について説明する。
【００５７】
励起光照射部２０から射出された励起光Ｌｅは蓄積性蛍光体層１１上の主走査方向に延びる線状の領域Ｆａに集光される。この線状の励起光Ｌｅの照射によって領域Ｆａから発生した輝尽発光光は、フィルム４０、結像レンズ３１および励起光カットフィルタ３３を通ってラインセンサ３２上に結像され光電変換された後、電気的な画像信号として出力される。上記励起光Ｌｅの照射と輝尽発光光の検出を実行しながら、一体化された励起光照射部２０と検出部３０Ａとが搬送手段によって副走査Ｙ方向へ搬送され、放射線像変換パネル１０Ａに記録された放射線像を表す上記画像信号が読み取られる。なお、放射線像変換パネル１０Ａには、この放射線像変換パネル１０Ａの検出部３０Ａ側からの放射線の爆射によって放射線像が記録されている。
【００５８】
ここで、蓄積性蛍光体層の表面から小さな射出角で射出された輝尽発光光を透過させ、かつ、大きな射出角で射出された輝尽発光光を反射する多層膜を積層したフィルムの作用は上記第１の実施の形態と同様である。
【００５９】
なお、フィルムに積層される多層膜は、蓄積性蛍光体層側に積層される場合に制限されるものではない。
【００６０】
蓄積性蛍光体層への放射線の爆射は輝尽発光光の検出側と同じ側であっても反対側であってもよい。ただし、フィルムが薄く放射線の吸収が少ないので、放射線の爆射と輝尽発光光の検出とを同じ側で行なった方が、取得される画像信号のＳ／Ｎを高くすることができる。また、励起光の照射と輝尽発光光の検出とは必ずしも蓄積性蛍光体層の同じ側から行なう場合に限らない。
【００６１】
上記のように、本発明によれば、取得される画像信号のＳ／Ｎを低下させることなく、輝尽発光光の利用効率を向上することができる。
【００６２】
なお、上記多層膜の特性は、小さな射出角が３０°以下であり、大きな射出角が４５°以上である場合に制限されるものではない。
【００６３】
また、フィルムの厚さは１００μｍ以下に制限されるものではない。
【図面の簡単な説明】
【図１】本発明の第１の実施の形態による放射線像読取装置の概略構成を示す斜視図
【図２】励起光照射部および検出部を拡大した概略構成を示す側面図
【図３】輝尽発光光に対する多層膜の透過および反射特性を示す図
【図４】蓄積性蛍光体層から発生し結像レンズに向かう輝尽発光光の光強度の分布を示す図
【図５】輝尽発光光が多層膜を透過したり多層膜で反射されたりする様子を示す図
【図６】フィルムの厚さと検出された輝尽発光光のボケ量との関係を示す図
【図７】本発明の第２の実施の形態による放射線像読取装置の概略構成を示す斜視図
【図８】励起光照射部および検出部の拡大した概略構成を示す側面図
【符号の説明】
１０　　放射線像変換パネル
１１　　蓄積性蛍光体層
１２　　支持体
２０　　励起光照射部
３０　　検出部
３１　　結像レンズ
４０　　フィルム
４１　　多層膜
【図１】
2004109467.tif 000004
【図２】
2004109467.tif 000005
【図３】
2004109467.tif 000006
【図４】
2004109467.tif 000007
【図５】
2004109467.tif 000008
【図６】
2004109467.tif 000009
【図７】
2004109467.tif 000010
【図８】
2004109467.tif 000011